(57)【要約】【課題】クロスダイクロイックプリズムに起因する光漏れが生じにくいプロジェクターを提供する。【解決手段】本発明のプロジェクターは、照明装置と、複数の光変調素子と、各光変調素子により変調された色光を合成するクロスダイクロイックプリズム５５４と、各光変調素子５５Ｂ，５５Ｇとクロスダイクロイックプリズム５５４の各光入射端面との間に介在する複数の基材１１，１２，１３と、投写光学系と、を備えている。各基材は、第１の基材１１のクロスダイクロイックプリズム５５４との対向面と第２の基材１２の端面とが対向、または第２の基材１２のクロスダイクロイックプリズム５５４との対向面と第１の基材１１の端面とが対向、または第１の基材１１の端面と第２の基材１２の端面とが対向、のいずれかの位置関係にある。【選択図】図２
2014191260.tif 000002
【特許請求の範囲】
【請求項１】
照明装置と、
前記照明装置から射出された複数の色光の各々を画像信号に基づいて変調する複数の光
変調素子と、
前記複数の光変調素子の各々により変調された複数の色光を合成するクロスダイクロイ
ックプリズムと、
前記複数の光変調素子の各々と前記クロスダイクロイックプリズムの複数の光入射端面
の各々との間に介在し、前記クロスダイクロイックプリズムに接着剤を介して固定された
複数の基材と、
前記クロスダイクロイックプリズムにより合成された光を被投写面上に投写する投写光
学系と、
を備え、
前記複数の基材が、前記クロスダイクロイックプリズムの前記複数の光入射端面のうち
の第１の光入射端面に配置された第１の基材と、前記第１の光入射端面に隣り合う第２の
光入射端面に配置された第２の基材と、を少なくとも含み、
前記第１の基材の前記クロスダイクロイックプリズムとの対向面と前記第２の基材の端
面とが対向、または前記第２の基材の前記クロスダイクロイックプリズムとの対向面と前
記第１の基材の端面とが対向、または前記第１の基材の端面と前記第２の基材の端面とが
対向、のいずれかの位置関係にあることを特徴とするプロジェクター。
【請求項２】
前記複数の基材が、前記クロスダイクロイックプリズムの前記第２の光入射端面に隣り
合うとともに前記第１の光入射端面の反対側に位置する第３の光入射端面上に配置された
第３の基材を含み、
前記第２の基材の前記対向面と前記第３の基材の端面とが対向、または前記第３の基材
の前記クロスダイクロイックプリズムとの対向面と前記第２の基材の端面とが対向、また
は前記第２の基材の端面と前記第３の基材の端面とが対向、のいずれかの位置関係にある
ことを特徴とする請求項１に記載のプロジェクター。
【請求項３】
前記第２の基材の幅が、前記クロスダイクロイックプリズムの前記第２の光入射端面の
幅よりも大きく、
前記第２の基材の前記対向面と前記第１の基材の端面とが対向し、前記第２の基材の前
記対向面と前記第３の基材の端面とが対向していることを特徴とする請求項２に記載のプ
ロジェクター。
【請求項４】
前記第２の基材の前記対向面と前記第１の基材の前記端面とが対向し、前記第２の基材
の前記端面と前記第３の基材の前記対向面とが対向していることを特徴とする請求項２に
記載のプロジェクター。
【請求項５】
前記第２の基材の一方の前記端面と前記第１の基材の前記端面とが対向し、前記第２の
基材の他方の前記端面と前記第３の基材の前記端面とが対向していることを特徴とする請
求項２に記載のプロジェクター。
【発明の詳細な説明】
【技術分野】
【０００１】
本発明は、プロジェクターに関する。
【背景技術】
【０００２】
従来のプロジェクターとして、光源から射出された白色光を複数の色光に分解し、複数
の液晶ライトバルブ等からなる光変調素子を用いて各色光を画像信号に基づいて変調し、
変調した光を光合成素子により合成し、合成した光を投写光学系によりスクリーンに拡大
投写するものが知られている。光合成素子としては、クロスダイクロイックプリズムが広
く知られている。
【０００３】
クロスダイクロイックプリズムの一例が、下記の特許文献１に開示されている。特許文
献１に記載のクロスダイクロイックプリズムは、各々の断面形状が直角二等辺三角形をな
す４個の三角柱状プリズムが接合された構成を有する。４個の三角柱状プリズムは、隣り
合う三角柱状プリズムの互いに対向する面の間隙に接着剤が充填されて接合されている。
各三角柱状プリズムの斜面に相当するクロスダイクロイックプリズムの４つの面のうち、
３つの面には光学部材の一つである積層位相差板が直接貼り付けられている。
【先行技術文献】
【特許文献】
【０００４】
【特許文献１】特開２００９−２５５０８号公報
【発明の概要】
【発明が解決しようとする課題】
【０００５】
しかしながら、従来のプロジェクターにおいては、上記の構成を有するクロスダイクロ
イックプリズムに起因して、スクリーン上の正規の被投写領域以外の場所に意図しない光
が照射される現象が発生することがある。以下の説明では、被投写領域以外の場所に意図
しない光が照射される現象のことを光漏れと称する。
【０００６】
本発明の一つの態様は、上記の課題を解決するためになされたものであって、クロスダ
イクロイックプリズムに起因する光漏れが生じにくいプロジェクターを提供することを目
的の一つとする。
【課題を解決するための手段】
【０００７】
上記の目的を達成するために、本発明の一つの態様のプロジェクターは、照明装置と、
前記照明装置から射出された複数の色光の各々を画像信号に基づいて変調する複数の光変
調素子と、前記複数の光変調素子の各々により変調された複数の色光を合成するクロスダ
イクロイックプリズムと、前記複数の光変調素子の各々と前記クロスダイクロイックプリ
ズムの複数の光入射端面の各々との間に介在し、前記クロスダイクロイックプリズムに接
着剤を介して固定された複数の基材と、前記クロスダイクロイックプリズムにより合成さ
れた光を被投写面上に投写する投写光学系と、を備え、前記複数の基材が、前記クロスダ
イクロイックプリズムの前記複数の光入射端面のうちの第１の光入射端面に配置された第
１の基材と、前記第１の光入射端面に隣り合う第２の光入射端面に配置された第２の基材
と、を少なくとも含み、前記第１の基材の前記クロスダイクロイックプリズムとの対向面
と前記第２の基材の端面とが対向、または前記第２の基材の前記クロスダイクロイックプ
リズムとの対向面と前記第１の基材の端面とが対向、または前記第１の基材の端面と前記
第２の基材の端面とが対向、のいずれかの位置関係にあることを特徴とする。
【０００８】
詳しくは後で説明するが、本発明者は、例えば光変調素子をクロスダイクロイックプリ
ズムの光入射端面上に支持するための基材を光変調素子とクロスダイクロイックプリズム
との間に介在させた場合、隣り合う基材間に存在する接着剤の表面が反射面となってクロ
スダイクロイックプリズムへの入射光が意図しない方向に反射することが光漏れの原因の
一つであることを突き止めた。
【０００９】
本発明の一つの態様のプロジェクターにおいて、第１の基材と第２の基材の端部同士の
位置関係は、第１の基材のクロスダイクロイックプリズムとの対向面と第２の基材の端面
とが対向、または第２の基材のクロスダイクロイックプリズムとの対向面と第１の基材の
端面とが対向、または第１の基材の端面と第２の基材の端面とが対向、のいずれかである
。そのため、第１の基材と第２の基材との間隙が狭く、第１の基材と第２の基材との間に
介在する接着剤の表面のうち、意図しない方向への光の反射面となる領域が小さくなる。
その結果、クロスダイクロイックプリズムに起因する光漏れが生じにくいプロジェクター
を実現することができる。
【００１０】
本発明の一つの態様のプロジェクターにおいて、前記複数の基材が、前記クロスダイク
ロイックプリズムの前記第２の光入射端面に隣り合うとともに前記第１の光入射端面の反
対側に位置する第３の光入射端面上に配置された第３の基材を含み、前記第２の基材の前
記対向面と前記第３の基材の端面とが対向、または前記第３の基材の前記クロスダイクロ
イックプリズムとの対向面と前記第２の基材の端面とが対向、または前記第２の基材の端
面と前記第３の基材の端面とが対向、のいずれかの位置関係にあることが好ましい。
【００１１】
この構成によれば、上記と同様、第２の基材と第３の基材との間隙が狭く、第２の基材
と第３の基材との間に介在する接着剤の表面のうち、意図しない方向への光の反射面とな
る領域が小さくなる。その結果、クロスダイクロイックプリズムに起因する光漏れが生じ
にくいプロジェクターを実現することができる。
【００１２】
本発明の一つの態様のプロジェクターにおいて、前記第２の基材の幅が、前記クロスダ
イクロイックプリズムの前記第２の光入射端面の幅よりも大きく、前記第２の基材の前記
対向面と前記第１の基材の端面とが対向し、前記第２の基材の前記対向面と前記第３の基
材の端面とが対向している構成としてもよい。
なお、クロスダイクロイックプリズムの第２の光入射端面の幅は、クロスダイクロイッ
クプリズムの互いに直交する２つの波長選択膜の双方に直交する方向における第２の光入
射端面の寸法である。第２の基材の幅は、第２の光入射端面の幅に対応する方向の第２の
基材の寸法である。
【００１３】
この構成によれば、第２の基材の対向面の法線方向から見たとき、第２の基材の両端が
対称的な構成を実現することができる。
【００１４】
あるいは、本発明の一つの態様のプロジェクターにおいて、前記第２の基材の前記対向
面と前記第１の基材の前記端面とが対向し、前記第２の基材の前記端面と前記第３の基材
の前記対向面とが対向している構成としてもよい。
【００１５】
この構成によれば、第２の基材の一端が第１の基材の端面側にずれ、第３の基材の一端
が第２の基材の端面側にずれた構成となる。そのため、第１の基材、第２の基材、第３の
基材の各々の幅を一致させやすく、基材の共通化を図りやすくなる。
【００１６】
あるいは、本発明の一つの態様のプロジェクターにおいて、前記第２の基材の一方の前
記端面と前記第１の基材の前記端面とが対向し、前記第２の基材の他方の前記端面と前記
第３の基材の前記端面とが対向している構成としてもよい。
【００１７】
この構成によれば、第１の基材、第２の基材、第３の基材の各々の端面を例えば斜めに
切削する加工を行うことにより、接着剤の表面の位置をクロスダイクロイックプリズムか
ら遠ざけることができる。これにより、意図しない方向へ反射する光の量を減らすことが
できる。
【図面の簡単な説明】
【００１８】
【図１】本発明の第１実施形態のプロジェクターの概略構成図である。
【図２】第１実施形態のプロジェクターに用いるクロスダイクロイックプリズムの斜視図である。
【図３】クロスダイクロイックプリズムの平面図である。
【図４】図３のＡ部分の拡大断面図である。
【図５】第２実施形態のクロスダイクロイックプリズムの平面図である。
【図６】図５のＡ部分の拡大断面図である。
【図７】第３実施形態のクロスダイクロイックプリズムの平面図である。
【図８】図７のＡ部分の拡大断面図である。
【図９】従来のクロスダイクロイックプリズムの平面図である。
【図１０】図９のＡ部分の拡大断面図である。
【発明を実施するための形態】
【００１９】
［第１実施形態］
以下、本発明の第１実施形態について、図１〜図４を用いて説明する。
本実施形態のプロジェクターは、光変調素子として３組の液晶ライトバルブを備えたプ
ロジェクター、いわゆる３板式の液晶プロジェクターの例である。
なお、以下の各図面においては各構成要素を見やすくするため、構成要素によって寸法
の縮尺を異ならせて示すことがある。
【００２０】
図１に示すように、本実施形態のプロジェクター１は、光学ユニット２と、排気ファン
３と、筐体６と、を備えている。光学ユニット２は、照明装置８と、色分離光学系５３と
、光変調素子５５と、ダイクロイックプリズム５５４と、投写光学系５６と、を備える。
照明装置８は、光源装置５１と、均一照明光学系５２と、から構成されている。
【００２１】
以下、光学ユニット２について説明する。
光源装置５１は、均一照明光学系５２に向けて光を射出する。光源装置５１は、光源装
置本体５１Ａと、平行化レンズ５１３と、ハウジング部材５１４と、を備える。光源装置
本体５１Ａは、ランプ５１１と、リフレクター５１２と、を備える。ランプ５１１として
は、例えば超高圧水銀ランプ、高圧水銀ランプ、メタルハライドランプ等を採用できる。
ランプ５１１、リフレクター５１２、および平行化レンズ５１３は、ハウジング部材５１
４の内部に収納されている。図１中の符号「Ａ」は、ランプ５１１から射出された光の中
心軸を示し、以下の説明では照明光軸と称する。
【００２２】
均一照明光学系５２は、光源装置５１から射出された光を液晶ライトバルブ５５１の画
像形成領域に略均一に照明するための光学系である。均一照明光学系５２は、第１レンズ
アレイ５２１と、第２レンズアレイ５２２と、偏光変換素子５２３と、重畳レンズ５２４
と、を備える。
【００２３】
第１レンズアレイ５２１は、複数の小レンズが照明光軸Ａと直交する面内に複数行、複
数列のマトリクス状に配列された構成を有する。第１レンズアレイ５２１は、平行化レン
ズ５１３からの光を複数の部分光束に分割する光束分割光学素子としての機能を有する。
図示による説明は省略するが、小レンズの外形形状は、液晶ライトバルブ５５１の画像形
成領域の外形形状と略相似形である。 
【００２４】
第２レンズアレイ５２２は、第１レンズアレイ５２１と同様、複数の小レンズが照明光
軸Ａに直交する面内に複数行、複数列のマトリクス状に配列された構成を有する。第２レ
ンズアレイ５２２は、重畳レンズ５２４とともに、第１レンズアレイ５２１の各小レンズ
の像を液晶ライトバルブ５５１の画像形成領域近傍に結像させる機能を有する。
【００２５】
偏光変換素子５２３は、第１レンズアレイ５２１により分割された各部分光束の偏光方
向を、偏光方向の揃った略１種類の直線偏光として射出する。偏光変換素子５２３は、偏
光分離層と反射層と位相差板とを有する。偏光分離層は、ランプ５１１からの照明光のう
ち、一方の偏光（例えばＰ偏光）を透過し、他方の偏光（例えばＳ偏光）を照明光軸Ａに
垂直な方向に向けて反射する。反射層は、偏光分離層で反射された他方の偏光成分を有す
る光を照明光軸Ａに平行な方向に反射する。位相差板は、偏光分離層を透過した一方の偏
光成分を有する光を他方の偏光成分を有する光に変換する。
【００２６】
重畳レンズ５２４は、第１レンズアレイ５２１、第２レンズアレイ５２２および偏光変
換素子５２３を経た複数の部分光束を集光して液晶ライトバルブ５５１の画像形成領域近
傍に重畳させるための光学素子である。重畳レンズ５２４は、複数のレンズを組み合わせ
た複合レンズで構成されていてもよい。
【００２７】
色分離光学系５３は、第１のダイクロイックミラー５３１と、第２のダイクロイックミ
ラー５３２と、反射ミラー５３３と、を備えている。第１のダイクロイックミラー５３１
および第２のダイクロイックミラー５３２は、均一照明光学系５２から射出された複数の
部分光束を、赤（Ｒ）、緑（Ｇ）、青（Ｂ）の３色の色光に分離する機能を有している。
第１のダイクロイックミラー５３１は、赤色光および緑色光を透過し、青色光を反射する
。第２のダイクロイックミラー５３２は、第１のダイクロイックミラー５３１を透過した
光のうち、赤色光を透過し、緑色光を反射する。
【００２８】
第１のダイクロイックミラー５３１では、赤色光および緑色光と、青色光と、が分離さ
れる。青色光は、反射ミラー５３３で反射されて青色光用液晶ライトバルブ５５１Ｂへ導
かれる。第２のダイクロイックミラー５３２では、緑色光と赤色光とが分離される。緑色
光は、緑色光用液晶ライトバルブ５５１Ｇへ導かれる。
【００２９】
色分離光学系５３は、さらにリレー光学系５４を備えている。リレー光学系５４は、入
射側レンズ５４１と、リレーレンズ５４３と、反射ミラー５４２と、反射ミラー５４４と
、を備えている。リレー光学系５４は、他の色光と比べて光路の長い赤色光の損失を防ぐ
ため、色分離光学系５３で分離された赤色光を赤色光用液晶ライトバルブ５５１Ｒまで導
く機能を有している。フィールドレンズ５２５は、第２レンズアレイ５２２から射出され
た各部分光束をその中心軸（主光線）に対して平行な光束に変換する。
【００３０】
光変調素子５５は、３組の液晶ライトバルブ５５１（赤色光用液晶ライトバルブ５５１
Ｒ、緑色光用液晶ライトバルブ５５１Ｇ、青色光用液晶ライトバルブ５５１Ｂ）と、液晶
ライトバルブ５５１の光入射側および光射出側にそれぞれ配置された入射側偏光板５５２
および射出側偏光板５５３と、を備える。光変調素子５５は、照明装置８から入射した光
を画像信号に基づいて変調する。
【００３１】
クロスダイクロイックプリズム５５４は、各色光用の液晶ライトバルブ５５１で変調さ
れた光を合成する。クロスダイクロイックプリズム５５４は、変調された各色光を合成し
、カラー画像を形成する光学素子である。クロスダイクロイックプリズム５５４は、４つ
の直角三角柱状プリズムを貼り合わせたものであり、平面視で略正方形状をなしている。
直角三角柱状プリズム同士を貼り合わせた略Ｘ字状の界面に、誘電体多層膜が形成されて
いる。略Ｘ字状の一方の界面に形成された誘電体多層膜は青色光を反射し、緑色光および
赤色光を透過する。他方の界面に形成された誘電体多層膜は赤色光を反射し、緑色光およ
び青色光を透過する。誘電体多層膜によって青色光および赤色光の光路は折り曲げられ、
緑色光の光路と揃えられることにより、３つの色光が合成される。
【００３２】
投写光学系５６は、クロスダイクロイックプリズム５５４により合成された光が入射す
る複数の投写レンズと、複数の投写レンズを収容する投写レンズ筐体と、を含んでいる。
複数の投写レンズは、各投写レンズの光軸が一致するように配置されている。複数の投写
レンズに共通の光軸を投写光軸Ｂと称する。
【００３３】
図１に示すように、照明装置８の照明光軸Ａと投写光学系５６の投写光軸Ｂとは、互い
に直交している。排気ファン３は、照明装置８と投写光学装置５６とにより囲まれた領域
に設置されている。排気ファン３は、例えばシロッコファンにより構成される。排気口１
０は、下部ケース１１の側面のうち、投写光学装置５６の側方に設けられている。排気フ
ァン３は、排気口１０を通して筐体６の内部の高温の空気を外部に排出する。熱風の流れ
を符号ＦＥの矢印で示す。
【００３４】
図２は、上記構成のプロジェクター１のうち、クロスダイクロイックプリズム５５４の
部分だけを取り出して示す斜視図である。図２に示すように、クロスダイクロイックプリ
ズム５５４は、概ね立方体状の形状を有している。以下、Ｘ字状の誘電体多層膜が見える
クロスダイクロイックプリズム５５４の２つの面を上面および下面と称し、それ以外の４
つの面を側面と称する。クロスダイクロイックプリズム５５４の４つの側面のうち、３つ
の側面が光入射端面５５４Ｒ，５５４Ｇ，５５４Ｂとなり、残りの１つの側面が光射出端
面となる。すなわち、３つの光入射端面５５４Ｒ，５５４Ｇ，５５４Ｂから入射した３つ
の色光は、合成されて光射出端面から射出される。
【００３５】
青色光用光変調素子５５Ｂは、第１の基材１１を介してクロスダイクロイックプリズム
５５４の第１の光入射端面５５４Ｂに固定されている。緑色光用光変調素子５５Ｇは、第
２の基材１２を介してクロスダイクロイックプリズム５５４の第２の光入射端面５５４Ｇ
に固定されている。図２には現れないが、赤色光用光変調素子は、第３の基材１３を介し
てクロスダイクロイックプリズム５５４の第３の光入射端面５５４Ｒに固定されている。
【００３６】
第１の基材１１、第２の基材１２、および第３の基材１３は全て、同じ厚さのガラス基
材で構成されている。第１の基材１１、第２の基材１２、および第３の基材１３は、各光
変調素子の射出側偏光板と接触しており、射出側偏光板で発する熱を放散させる。すなわ
ち、第１の基材１１、第２の基材１２、および第３の基材１３は、射出側偏光板の冷却手
段としても機能する。
【００３７】
言い換えると、青色用光変調素子５５Ｂとクロスダイクロイックプリズム５５４との間
に、青色用光変調素子５５Ｂをクロスダイクロイックプリズム５５４の第１の光入射端面
５５４Ｂ上に支持するための第１の基材１１が設けられている。緑色用光変調素子５５Ｇ
とクロスダイクロイックプリズム５５４との間に、緑色用光変調素子５５Ｇをクロスダイ
クロイックプリズム５５４の第２の光入射端面５５４Ｇ上に支持するための第２の基材１
２が設けられている。赤色用光変調素子５５Ｒとクロスダイクロイックプリズム５５４と
の間に、赤色用光変調素子５５Ｒをクロスダイクロイックプリズム５５４の第３の光入射
端面５５４Ｒ上に支持するための第３の基材１３が設けられている。
【００３８】
本明細書において、第１の基材１１の縦方向の寸法は、誘電体多層膜の２つの膜面の交
線に平行な方向（クロスダイクロイックプリズム５５４の側面に平行な方向）の第１の基
材１１の寸法を指し、第１の基材１１の長さと言うこともある。
第１の基材１１の横方向の寸法は、誘電体多層膜の２つの膜面の交線に垂直であり、且
つクロスダイクロイックプリズム５５４の側面に平行な方向（クロスダイクロイックプリ
ズム５５４の上面および下面に平行な方向）の第１の基材１１の寸法を指し、第１の基材
１１の幅と言うこともある。第２の基材１２、第３の基材１３についても同様である。
【００３９】
図２に示すように、本実施形態においては、第１の基材１１の長さはクロスダイクロイ
ックプリズム５５４の縦方向寸法よりも長く、第１の基材１１の上端と下端とはクロスダ
イクロイックプリズム５５４の上下にはみ出している。ただし、第１の基材１１の長さは
必ずしもクロスダイクロイックプリズム５５４の縦方向寸法より長くなくてもよい。第２
の基材１２、第３の基材１３についても同様である。
【００４０】
このような光変調素子５５の支持構造に関して、最初に従来の支持構造とその問題点に
ついて説明する。
図９は、従来のクロスダイクロイックプリズム６５４への光変調素子５５Ｒ，５５Ｇ，
５５Ｂの支持構造を上面側から見た平面図である。図９では、図示の都合上、各基材１１
１，１１２，１１３と本来接触するべき光変調素子５５Ｒ，５５Ｇ，５５Ｂを各基材１１
１，１１２，１１３から離して示している。
【００４１】
本発明者が見出したクロスダイクロイックプリズムに起因する光漏れの原因は、以下の
通りである。
従来の構造においては、図９に示すように、クロスダイクロイックプリズム６５４の各
光入射端面６５４Ｒ，６５４Ｇ，６５４Ｂの幅と各基材１１１，１１２，１１３の幅とは
略一致していた。すなわち、クロスダイクロイックプリズム６５４の第１の光入射端面６
５４Ｂの幅と第１の基材１１１の幅とは略一致し、第２の光入射端面６５４Ｇの幅と第２
の基材１１２の幅とは略一致し、第３の光入射端面６５４Ｒの幅と第３の基材１１３の幅
とは略一致していた。
【００４２】
図１０は、図９の符号Ａの円で囲んだ部分の拡大断面図である。
図１０に示すように、ダイクロイックプリズム６５４の角の部分には切り欠き部６５４
Ｋが設けられている。第１の基材１１１および第２の基材１１２は、切り欠き部６５４Ｋ
の縁から僅かに突出するように配置されている。第１の基材１１１と第２の基材１１２と
ダイクロイックプリズム６５４とに囲まれた空間に接着剤１２０が充填され、第１の基材
１１１および第２の基材１１２は接着剤１２０を介してダイクロイックプリズム６５４に
固定される。接着剤１２０は硬化する際に体積が収縮するため、接着剤１２０の表面形状
は湾曲した凹面１２０Ｐとなる。
【００４３】
ここで用いる接着剤１２０は一般的な光学接着剤であり、接着剤１２０の屈折率はクロ
スダイクロイックプリズム６５４や各基材１１１，１１２の屈折率と略同等である。その
ため、各基材１１１，１１２と接着剤１２０との界面、およびクロスダイクロイックプリ
ズム６５４と接着剤１２０との界面では、光の反射や屈折はほとんど生じない。光の反射
や屈折は、空気と接着剤１２０との界面でのみ生じる。接着剤１２０の表面１２０Ｐが図
１０に示すような凹面であると、緑色光用光変調素子５５Ｇから接着剤１２０に入射した
光Ｌは、接着剤１２０の表面１２０Ｐで全反射し、投写光軸Ｂに対して小さい角度をなす
方向に進む。投写光軸Ｂに対して小さい角度をなす方向に進む光は、後段の投写光学系５
６でけられることが少ない。そのため、光Ｌは投写光学系５６によりスクリーン等の被投
写面の意図しない位置に照射され、光漏れが生じる。接着剤１２０の表面１２０Ｐのうち
、例えば符号Ｒ０で示す領域で反射した光Ｌが光漏れの原因となる。
【００４４】
一方、図３は、本実施形態のクロスダイクロイックプリズム６５４への各基材１１，１
２，１３の配置を示す平面図である。図３においても、図示の都合上、各基材１１，１２
，１３と本来接触するべき光変調素子５５Ｒ，５５Ｇ，５５Ｂを各基材１１，１２，１３
から離して示している。
【００４５】
本実施形態においては、図３に示すように、第２の基材１２の幅Ｗ１は、クロスダイク
ロイックプリズム５５４の第２の光入射端面５５４Ｇの幅Ｗ２よりも大きい。より具体的
には、第２の基材１２の幅Ｗ１は、第２の光入射端面５５４Ｇの幅Ｗ２よりも２枚のガラ
ス基材の厚み分だけ大きい。第２の基材１２は、第２の基材１２の両端が１枚のガラス基
材の厚み分ずつ第２の光入射端面５５４Ｇの外側にはみ出すように配置されている。これ
により、第２の基材１２のクロスダイクロイックプリズム５５４との対向面１２Ａと第１
の基材１１の端面１１Ｃとは互いに対向した状態となる。同様に、第２の基材１２のクロ
スダイクロイックプリズム５５４との対向面１２Ａと第３の基材１３の端面１３Ｃとは互
いに対向した状態となる。
【００４６】
図４は、図３の符号Ａの円で囲んだ部分の拡大断面図である。
図４に示すように、ダイクロイックプリズム５５４の角の部分には切り欠き部５５４Ｋ
が設けられている。第１の基材１１および第２の基材１２は、それぞれ切り欠き部５５４
Ｋの縁から突出するように配置されている。第２の基材１２の切り欠き部５５４Ｋの縁か
らの突出長さＦ２は、第１の基材１１の切り欠き部５５４Ｋの縁からの突出長さＦ１より
も長い。第１の基材１１と第２の基材１２とダイクロイックプリズム５５４とに囲まれた
空間に接着剤２０が充填されている。第１の基材１１および第２の基材１２は、接着剤２
０を介してダイクロイックプリズム５５４に固定される。従来と同様、接着剤２０の表面
形状は湾曲した凹面２０Ｐとなるが、凹面２０Ｐの面積は従来よりも小さくなる。
【００４７】
図４の場合も、接着剤２０の表面２０Ｐのうち、符号Ｒ１で示す領域に入射した光Ｌは
、接着剤２０の表面２０Ｐで全反射し、投写光軸Ｂに対して小さい角度をなす方向に進む
。この光Ｌは光漏れの原因となり得る光である。しかしながら、このような光漏れの原因
となる反射光が生じる領域Ｒ１の面積は、図１０の領域Ｒ０の面積に比べて十分に小さい
。したがって、光漏れの原因となる反射光の量を減らすことができ、光漏れが生じにくい
プロジェクターを実現することができる。
【００４８】
［第２実施形態］
以下、本発明の第２実施形態について、図５〜図６を用いて説明する。
本実施形態のプロジェクターの基本構成は第１実施形態と同様であり、光変調素子をダ
イクロイックプリズムに支持するための基材の配置が第１実施形態と異なる。
したがって、本実施形態ではプロジェクターの基本構成についての説明を省略し、基材
の配置についてのみ説明する。
図５は、本実施形態のクロスダイクロイックプリズムへの光変調素子の支持構造を示す
平面図である。図６は、図５の符号Ａの円で囲んだ部分の拡大断面図である。
図５、図６において、第１実施形態で用いた図３、図４と共通の構成要素には同一の符
号を付し、説明を省略する。
【００４９】
本実施形態においては、図５に示すように、第２の基材２２の幅Ｗ１は、第２の光入射
端面５５４Ｇの幅Ｗ２よりも略１枚のガラス基材の厚み分だけ大きい。第２の基材２２は
、第２の基材２２の右端が略１枚のガラス基材の厚み分だけ第２の光入射端面５５４Ｇの
外側にはみ出すように配置されている。同様に、第１の基材２１の幅は、第１の光入射端
面５５４Ｂの幅よりも略１枚のガラス基材の厚み分だけ大きい。第１の基材２１は、第１
の基材２１の上端が略１枚のガラス基材の厚み分だけ第１の光入射端面５５４Ｂの外側に
はみ出すように配置されている。同様に、第３の基材２３の幅は、第３の光入射端面５５
４Ｒの幅よりも略１枚のガラス基材の厚み分だけ大きい。第３の基材２３は、第３の基材
２３の下端が略１枚のガラス基材の厚み分だけ第３の光入射端面５５４Ｒの外側にはみ出
すように配置されている。
【００５０】
これにより、図５に示すクロスダイクロイックプリズム５５４の右下の箇所において、
第２の基材２２のクロスダイクロイックプリズム５５４との対向面２２Ａと第１の基材２
１の端面２１Ｃとは、互いに対向した状態となる。同様に、図５に示すクロスダイクロイ
ックプリズム５５４の左下の箇所において、第３の基材２３のクロスダイクロイックプリ
ズム５５４との対向面２３Ａと第２の基材２２の端面２２Ｃとは、互いに対向した状態と
なる。
【００５１】
図５に示すクロスダイクロイックプリズム５５４の右下の箇所の基材２１，２２同士の
位置関係は第１実施形態と同一であるため、図６では、図５に示すクロスダイクロイック
プリズム５５４の左下の箇所を示した。図６に示すように、第２の基材２２と第３の基材
２３とダイクロイックプリズム５５４とに囲まれた空間に接着剤２０が充填されている。
第２の基材２２および第２の基材２３は、接着剤２０を介してダイクロイックプリズム５
５４に固定される。従来と同様、接着剤２０の表面形状は湾曲した凹面２０Ｐとなり、凹
面２０Ｐの面積は従来よりも小さくなる。
【００５２】
図６の場合、接着剤２０の表面２０Ｐのうち、符号Ｒ２で示す領域に入射した光Ｌは、
接着剤２０の表面２０Ｐで全反射し、投写光軸Ｂに対して小さい角度をなす方向に進む。
この光Ｌは光漏れの原因となり得る光である。しかしながら、このような光漏れの原因と
なる反射光が生じる領域Ｒ２の面積は、図１０の領域Ｒ０の面積に比べて十分に小さい。
したがって、光漏れの原因となる反射光の量を減らすことができ、光漏れが生じにくいプ
ロジェクターを実現することができる。
【００５３】
本実施形態の場合、第１の基材２１、第２の基材２２、および第３の基材２３を、各基
材２１，２２，２３の中心を各光入射端面５５４Ｂ，５５４Ｇ，５５４Ｒの中心に合わせ
た位置から同じ方向にずらした配置としている。この配置を採用した場合、第１の基材２
１、第２の基材２２、第３の基材２３の各々の幅を一致させやすく、基材の共通化を図り
やすくなる。
【００５４】
［第３実施形態］
以下、本発明の第３実施形態について、図７〜図８を用いて説明する。
本実施形態のプロジェクターの基本構成は第１実施形態と同様であり、光変調素子をダ
イクロイックプリズムに支持するための基材の配置が第１実施形態と異なる。
したがって、本実施形態ではプロジェクターの基本構成についての説明を省略し、基材
の配置についてのみ説明する。
図７は、本実施形態のクロスダイクロイックプリズムへの光変調素子の支持構造を示す
平面図である。図８は、図７の符号Ａの円で囲んだ部分の拡大断面図である。
図７、図８において、第１実施形態で用いた図３、図４と共通の構成要素には同一の符
号を付し、説明を省略する。
【００５５】
本実施形態においては、図７に示すように、第２の基材３２の両側の端面３２Ｃは、ダ
イクロイックプリズム５５４との接合面３２Ａに対して略１３５°の角度をなすように斜
めに加工されている。第２の基材３２は、斜めに加工された両端面３２Ｃが第２の光入射
端面５５４Ｇの外側にはみ出すように配置されている。同様に、第１の基材３１の下側の
端面３１Ｃは、ダイクロイックプリズム５５４との接合面３１Ａに対して略１３５°の角
度をなすように斜めに加工されている。第１の基材３１は、斜めに加工された端面３１Ｃ
が第１の光入射端面５５４Ｂの外側にはみ出すように配置されている。同様に、第３の基
材３３の下側の端面３３Ｃは、ダイクロイックプリズム５５４との接合面３３Ａに対して
略１３５°の角度をなすように斜めに加工されている。第３の基材３３は、斜めに加工さ
れた端面３３Ｃが第３の光入射端面５５４Ｒの外側にはみ出すように配置されている。
【００５６】
これにより、図７に示すクロスダイクロイックプリズム５５４の右下の箇所において、
第２の基材３２の端面３２Ｃと第１の基材３１の端面３１Ｃとは、互いに対向した状態と
なる。同様に、図７に示すクロスダイクロイックプリズム５５４の左下の箇所において、
第２の基材３２の端面３２Ｃと第３の基材３３の端面３３Ｃとは、互いに対向した状態と
なる。
【００５７】
図８に示すように、第１の基材３１と第２の基材３２とダイクロイックプリズム５５４
とに囲まれた空間に接着剤２０が充填されている。第１の基材３１および第２の基材３２
は、接着剤２０を介してダイクロイックプリズム５５４に固定される。従来と同様、接着
剤２０の表面形状は湾曲した凹面２０Ｐとなり、凹面２０Ｐの面積は従来よりも小さくな
る。
【００５８】
図８の場合、接着剤２０の表面２０Ｐのうち、符号Ｒ３で示す領域に入射した光Ｌは、
接着剤２０の表面２０Ｐで全反射し、投写光軸Ｂに対して小さい角度をなす方向に進む。
この光Ｌは光漏れの原因となり得る光である。しかしながら、このような光漏れの原因と
なる反射光が生じる領域Ｒ３の面積は、図１０の領域Ｒ０の面積に比べて十分に小さい。
したがって、光漏れの原因となる反射光の量を減らすことができ、光漏れが生じにくいプ
ロジェクターを実現することができる。
【００５９】
本実施形態の場合、第１の基材３１の端面３１Ｃ、第２の基材３２の端面３２Ｃ、第３
の基材３３の端面３３Ｃをそれぞれ斜めに切削する加工を行うことにより、接着剤２０の
表面２０Ｐの位置をクロスダイクロイックプリズム５５４から遠ざけ、表面２０Ｐの面積
を小さくすることができる。これにより、意図しない方向へ反射する光の量を減らすこと
ができる。
【００６０】
なお、本発明の技術範囲は上記実施形態に限定されるものではなく、本発明の趣旨を逸
脱しない範囲において種々の変更を加えることが可能である。例えば上記実施形態で例示
したプロジェクターの各光学要素の具体的構成については適宜変更が可能である。上記実
施形態では、光源装置から射出される白色光を複数の色光に分離する色分離光学系を備え
た例を示したが、この構成に代えて、赤色光、緑色光、青色光を個別に射出する光源を備
え、色分離光学系を備えていないプロジェクターに本発明を適用してもよい。
【符号の説明】
【００６１】
１…プロジェクター、８…照明装置、１１，２１，３１…第１の基材、１２，２２，３
２…第２の基材、１３，２３，３３…第３の基材、２０…接着剤、５５…光変調素子、５
５４…ダイクロイックプリズム、５５４Ｂ…第１の光入射端面、５５４Ｇ…第２の光入射
端面、５５４Ｒ…第３の光入射端面、５６…投写光学系。
【図１】
2014191260.tif 000003
【図２】
2014191260.tif 000004
【図３】
2014191260.tif 000005
【図４】
2014191260.tif 000006
【図５】
2014191260.tif 000007
【図６】
2014191260.tif 000008
【図７】
2014191260.tif 000009
【図８】
2014191260.tif 000010
【図９】
2014191260.tif 000011
【図１０】
2014191260.tif 000012